(57)【要約】【課題】畜冷剤の凍結による使用性の低下を防止するとともに迅速な製氷を行うことのできる製氷容器を提供する。【解決手段】製氷用の水を溜める内容器２と、内容器２の外側を覆う外容器３と、内容器２と外容器３との間に封入される畜冷剤４とを備え、外容器３の剛性よりも内容器２の剛性を大きくし、製氷温度で凍結する畜冷剤４を用いた。【選択図】図２
2007178039.tif 000002
【特許請求の範囲】
【請求項１】
製氷用の水を溜める内容器と、前記内容器の外側を覆う外容器と、前記内容器と前記外容器との間に封入される畜冷剤とを備え、前記外容器の剛性よりも前記内容器の剛性を大きくしたことを特徴とする製氷容器。
【請求項２】
前記内容器が金属または樹脂成形品から成り、前記外容器が前記内容器よりも厚みの薄い金属、樹脂成形品或いは樹脂フィルムから成ることを特徴とする請求項１に記載の製氷容器。
【請求項３】
前記外容器の底面の周部に突起部を設けたことを特徴とする請求項１または請求項２に記載の製氷容器。
【請求項４】
製氷用の水を溜める本体部と、前記本体部の開口部を塞ぐ蓋とを備えた製氷容器において、前記蓋は、前記本体部側に面した内側部材と、前記内側部材の外側を覆う外側部材と、前記内側部材と前記外側部材との間に封入される畜冷剤とを備え、前記外側部材の剛性よりも前記内側部材の剛性を大きくしたことを特徴とする製氷容器。
【請求項５】
前記内側部材が金属または樹脂成形品から成り、前記外側部材が前記内側部材よりも厚みの薄い金属、樹脂成形品或いは樹脂フィルムから成ることを特徴とする請求項４に記載の製氷容器。
【請求項６】
前記畜冷剤の融点を−２０℃以上にしたことを特徴とする請求項１〜請求項５のいずれかに記載の製氷容器。
【発明の詳細な説明】
【技術分野】
【０００１】
本発明は、畜冷剤を備えた製氷用の製氷容器に関する。
【背景技術】
【０００２】
従来の製氷容器は特許文献１、２に開示されている。この製氷容器は製氷用の水を溜める内容器の外側を外容器で覆い、内容器と外容器との間に畜冷剤が封入されている。また、特許文献３の製氷容器は水を溜める本体部の開口部を覆う蓋が設けられる。蓋の内部には畜冷剤が封入されている。これらの製氷容器は畜冷剤によって熱容量が増加し、畜冷剤に蓄えられた冷熱により水が冷却されるため製氷時間を短縮することができる。
【特許文献１】実開昭６０−２５８７６号公報（第３図）
【特許文献２】実開昭６１−７１８７６号公報（第２図）
【特許文献３】実開昭６３−１１６７８０号公報（第２図）
【発明の開示】
【発明が解決しようとする課題】
【０００３】
畜冷剤を凍結させると製氷容器に給水した際に融解し、融解熱によって迅速な製氷を行うことができる。しかしながら、上記従来の製氷容器によると、畜冷剤が凍結すると膨張して製氷容器が変形する。このため、上記特許文献１、２の製氷容器では、内容器内に形成される氷が割れる場合や、内容器に設けた氷の仕切り部が破損する場合がある。また、上記特許文献３の製氷容器では、変形によって本体部に蓋をすることができない場合がある。従って、製氷容器の使用性が低下するため、製氷温度よりも融点の低い畜冷剤が使用され、製氷時間がかかる問題があった。
【０００４】
本発明は、畜冷剤の凍結による使用性の低下を防止するとともに迅速な製氷を行うことのできる製氷容器を提供することを目的とする。
【課題を解決するための手段】
【０００５】
上記目的を達成するために本発明は、製氷用の水を溜める内容器と、前記内容器の外側を覆う外容器と、前記内容器と前記外容器との間に封入される畜冷剤とを備え、前記外容器の剛性よりも前記内容器の剛性を大きくしたことを特徴としている。
【０００６】
この構成によると、氷点以下に維持される庫内に配された製氷容器は内容器内に給水され、庫内の冷気及び畜冷剤から放出される冷熱による冷却によって製氷が行われる。氷点以下に配された畜冷剤が凍結すると外容器が外側に向けて膨張する。また、凍結した畜冷剤は製氷容器に給水した際に融解し、水から融解熱を奪う。
【０００７】
また本発明は、上記構成の製氷容器において、前記内容器が金属または樹脂成形品から成り、前記外容器が前記内容器よりも厚みの薄い金属、樹脂成形品或いは樹脂フィルムから成ることを特徴としている。
【０００８】
また本発明は、上記構成の製氷容器において、前記外容器の底面の周部に突起部を設けたことを特徴としている。この構成によると、外容器が膨張により変形しても製氷容器は突起部で設置される。
【０００９】
また本発明は、製氷用の水を溜める本体部と、前記本体部の開口部を塞ぐ蓋とを備えた製氷容器において、前記蓋は、前記本体部側に面した内側部材と、前記内側部材の外側を覆う外側部材と、前記内側部材と前記外側部材との間に封入される畜冷剤とを備え、前記外側部材の剛性よりも前記内側部材の剛性を大きくしたことを特徴としている。
【００１０】
この構成によると、氷点以下に維持される庫内に配された製氷容器は本体部内に給水され、蓋により本体部が閉じられる。本体部内の水は庫内の冷気及び畜冷剤から放出される冷熱により冷却され、製氷が行われる。氷点以下に配された畜冷剤が凍結すると外側部材が外側に向けて膨張する。また、凍結した畜冷剤は製氷容器に給水された水の放熱により融解し、水から融解熱を奪う。
【００１１】
また本発明は、上記構成の製氷容器において、前記内側部材が金属または樹脂成形品から成り、前記外側部材が前記内側部材よりも厚みの薄い金属、樹脂成形品或いは樹脂フィルムから成ることを特徴としている。
【００１２】
また本発明は、上記構成の製氷容器において、前記畜冷剤の融点を−２０℃以上にしたことを特徴としている。
【発明の効果】
【００１３】
本発明によると、内側の内容器と外側の外容器の間に畜冷剤を封入した製氷容器において、外容器の剛性よりも内容器の剛性を大きくしたので、畜冷剤が凍結した際の内容器の変形を防止することができる。従って、氷の割れや内容器の仕切り部の破損が発生しないため製氷容器の使用性の低下を防止するとともに、畜冷剤の融解熱によって迅速に製氷することができる。
【００１４】
また本発明によると、内容器が金属または樹脂成形品から成り、外容器が内容器よりも厚みの薄い金属、樹脂成形品或いは樹脂フィルムから成るので、外容器の剛性よりも内容器の剛性が大きい製氷容器を容易に実現することができる。
【００１５】
また本発明によると、外容器の底面の周部に突起部を設けたので、畜冷剤の凍結により外容器が変形しても安定して製氷容器を設置することができる。
【００１６】
また本発明によると、製氷容器の蓋は本体部に面した内側部材と外側の外側部材の間に畜冷剤が封入され、外側部材の剛性よりも内側部材の剛性を大きくしたので、畜冷剤が凍結した際の内側部材の変形を防止することができる。従って、蓋を確実に閉じて製氷容器の使用性の低下を防止するとともに、畜冷剤の融解熱によって迅速に製氷することができる。
【００１７】
また本発明によると、内側部材が金属または樹脂成形品から成り、外側部材が内側部材よりも厚みの薄い金属、樹脂成形品或いは樹脂フィルムから成るので、外側部材の剛性よりも内側部材の剛性が大きい製氷容器を容易に実現することができる。
【００１８】
また本発明によると、畜冷剤の融点を−２０℃以上にしたので、冷蔵庫の冷凍室や製氷室内で畜冷剤を凍結して融解熱による迅速な製氷を行うことができる。
【発明を実施するための最良の形態】
【００１９】
以下に本発明の実施形態を図面を参照して説明する。図１は第１実施形態の製氷容器を示す斜視図である。製氷容器１は冷蔵庫の冷凍室や製氷室等の庫内に配され、氷点以下に維持される。製氷容器１は製氷用の水が供給される内容器２の外側が外容器３で覆われている。内容器２には仕切り部２ａが格子状に設けられ、仕切り部２ａにより仕切られた凹部２ｂにブロック状の氷が形成される。
【００２０】
図２は図１のＡ−Ａ断面図を示している。内容器２と外容器３との間には畜冷剤４が封入されている。畜冷剤４は吸水性の高分子ポリマー等から成り、融点が−２０℃以上になっている。製氷容器１が配される冷凍庫や製氷室は一般に約−２０℃に維持されるため、畜冷剤４は製氷時に凍結する。
【００２１】
内容器２は金属のプレス成形品や樹脂成形品から成り、外容器３は内容器２よりも厚みの薄い金属のプレス成形品、樹脂成形品あるいは樹脂フィルムにより形成されている。これにより、外容器３の剛性よりも内容器２の剛性が大きくなっている。また、外容器３の底面の周部には突起部３ａが設けられる。
【００２２】
畜冷剤４が凍結すると一点鎖線Ｄに示すように剛性の低い外容器３が外側に向けて膨張し、剛性の高い内容器２の変形が防止される。また、畜冷剤４の凍結により外容器３が膨張しても製氷容器１を突起部３ａにより安定して設置することができる。
【００２３】
氷点以下に維持される庫内に配された製氷容器１は内容器２内に給水され、庫内の冷気及び畜冷剤４から放出される冷熱による冷却によって製氷が行われる。また、畜冷剤４は製氷後離氷した際に凍結した状態を維持し、次に内容器２に給水した際に融解する。このため、内容器２内の水が融解熱を奪われて迅速に製氷を行うことができる。
【００２４】
本実施形態によると、内容器２と外容器３の間に畜冷剤４を封入した製氷容器１において外容器３の剛性よりも内容器２の剛性を大きくしたので、畜冷剤４が凍結した際の内容器２の変形が防止される。従って、氷の割れや内容器２の仕切り部２ａの破損が発生しないため製氷容器１の使用性の低下を防止することができる。また、畜冷剤４の融解熱によって迅速に製氷することができる。
【００２５】
次に、図３は第２実施形態の製氷容器を示す斜視図である。製氷容器１０は製氷用の水が供給される本体部１１と本体部１１の上面開口部を開閉する蓋１２とを備えている。蓋１２の一端には本体部１１に係止する係止部１２ａが設けられる。これにより、蓋１２を閉じた際に係止部１２ａで係止し、本体部１１の上面を確実に塞ぐことができるようになっている。本体部１１には仕切り部１１ａが格子状に設けられ、仕切り部１１ａにより仕切られた凹部１１ｂにブロック状の氷が形成される。
【００２６】
図４は図３のＢ−Ｂ断面図を示している。蓋１２は本体部１１と一体成形された内側部材１３の外側が外側部材１４で覆われている。内側部材１３と外側部材１４との間には第１実施形態と同様の畜冷剤１５が封入され、製氷中に畜冷剤１５が凍結する。
【００２７】
内側部材１３は金属のプレス成形品や樹脂成形品から成り、外側部材１４は内側部材１３よりも厚みの薄い金属のプレス成形品、樹脂成形品あるいは樹脂フィルムから成っている。これにより、外側部材１４の剛性よりも内側部材１３の剛性が大きくなっている。このため、畜冷剤１５が凍結すると外側部材１４が外側に向けて膨張し、内側部材１３の変形が防止される。
【００２８】
氷点以下に維持される庫内に配された製氷容器１０は本体部１１内に給水され、蓋１２が閉じられる。庫内の冷気及び畜冷剤１５から放出される冷熱により水が冷却され、製氷が行われる。また、畜冷剤１５は製氷後離氷した際に凍結した状態を維持し、次に本体部１１に給水した際に水の放熱によって融解する。このため、本体部１１内の水が融解熱を奪われて迅速に製氷を行うことができる。
【００２９】
本実施形態によると、製氷容器１０の蓋１２は内側部材１３と外側部材１４の間に畜冷剤１５が封入され、外側部材１４の剛性よりも内側部材１３の剛性を大きくしたので、畜冷剤１５が凍結した際の内側部材１３の変形が防止される。従って、蓋１２を確実に閉じて製氷容器１０の使用性の低下を防止することができる。また、第１実施形態と同様に畜冷剤１５の融解熱によって迅速に製氷することができる。
【産業上の利用可能性】
【００３０】
本発明は、畜冷剤を備えた製氷用の製氷容器に利用することができる。
【図面の簡単な説明】
【００３１】
【図１】本発明の第１実施形態の製氷容器を示す斜視図
【図２】図１のＡ−Ａ断面図
【図３】本発明の第２実施形態の製氷容器を示す斜視図
【図４】図３のＢ−Ｂ断面図
【符号の説明】
【００３２】
１、１０  製氷容器
２    内容器
２ａ、１１ａ  仕切り部
３    外容器
３ａ  突起部
４、１５  畜冷剤
１１    本体部
１２    蓋
１３    内側部材
１４    外側部材
【図１】
2007178039.tif 000003
【図２】
2007178039.tif 000004
【図３】
2007178039.tif 000005
【図４】
2007178039.tif 000006